(57)【要約】      （修正有）【課題】宅配物を受け取ったことの証明を行うことができる管理システムを提供する。【解決手段】宅配物の受け取りを管理するための受取管理装置２と、受取管理装置２との間で信号のやりとりするための携帯端末装置４とを備えた管理システム。受取管理装置２は、配達業者を撮影するためのカメラ手段８と、配達伝票に受領印を押印するための押印手段１０と、携帯端末装置との間で信号のやりとりするための受取側通信手段６６とを含み、また携帯端末装置４は、受取管理装置を操作するための入力操作手段と、受取管理装置２との間で信号のやりとりをするための端末側通信手段８４とを含み、携帯端末装置４の入力操作手段を押印操作入力すると、携帯端末装置にて生成された押印操作信号が受取管理装置２に伝送され、押印操作信号に基づいて押印手段が作動される。【選択図】図１
2019038686.tif 000002
【特許請求の範囲】
【請求項１】
宅配物の受け取りを管理するための受取管理装置と、前記受取管理装置との間で情報のやりとりするための携帯端末装置とを備えた管理システムであって、
前記受取管理装置は、配達業者を撮影するためのカメラ手段と、配達伝票に受領印を押印するための押印手段と、前記携帯端末装置との間で信号のやりとりするための受取側通信手段とを含み、
前記携帯端末装置は、前記受取管理装置を操作するための入力操作手段と、前記受取管理装置との間で信号のやりとりをするための端末側通信手段とを含み、
前記携帯端末装置の前記入力操作手段を押印操作入力すると、前記携帯端末装置にて生成された押印操作信号が前記端末側通信手段及び前記受取側通信手段を介して前記受取管理装置に伝送され、前記押印操作信号に基づいて前記押印手段が作動されることを特徴とする管理システム。
【請求項２】
前記受取管理装置は、前記カメラ手段を収容するための管理装置ハウジングを備え、前記管理装置ハウジングには、前記押印手段により押印を施す押印域に前記配達伝票を挿入するための挿入開口が設けられていることを特徴とする請求項１に記載の管理システム。
【請求項３】
前記管理装置ハウジングには、前記押印域を外部から目視するための透明窓が設けられていることを特徴とする請求項２に記載の管理システム。
【請求項４】
前記押印手段は、前記配達伝票に押印を施す印鑑と、前記印鑑を保持するための印鑑保持部材と、前記印鑑保持部材を所定方向にガイドするためのガイド体と、前記印鑑保持部材を押印移動させるための押印駆動手段とを含んでいることを特徴とする請求項１〜３のいずれかに記載の管理システム。
【請求項５】
供給物を供給管理するための供給管理装置と、前記供給管理装置を制御するための携帯端末装置とを備えた管理システムであって、
前記供給管理装置は、前記供給物の供給状態を撮影するためのカメラ手段と、前記供給物を供給するための供給器と、前記携帯端末装置からの操作信号を受信するための受取側通信手段とを含み、
前記携帯端末装置は、前記供給管理装置を操作するための入力操作手段と、前記供給管理装置に前記操作信号を送信するための端末側通信手段とを含み、
前記携帯端末装置の前記入力操作手段を供給操作入力すると、前記携帯端末装置にて生成された供給操作信号が前記端末側通信手段及び前記受取側通信手段を介して前記供給管理装置に伝送され、前記供給操作信号に基づいて前記供給器が作動されることを特徴とする管理システム。
【請求項６】
前記供給物は、動物に与えるペット用餌、魚に与える魚用餌又は動植物に与える水をであり、前記供給器は、動物に前記ペット用餌を施すペット餌やり器、魚に前記魚用餌を施す魚餌やり器、又は動植物に水を施す水やり器であることを特徴とする請求項５に記載の管理システム。
【発明の詳細な説明】
【技術分野】
【０００１】
本発明は、宅配物の受け取りなどを管理するための管理システムに関する。
【背景技術】
【０００２】
例えば、宅配物を管理するための管理システムとして、宅配物を収容する宅配ボックスと、宅配ボックスの開閉扉を開錠する電子錠とを備えたものが提案されている（例えば、特許文献１参照）。この管理システムでは、玄関に設置されるインターホンと、キッチンなどに設置される親機と、この親機との間で通信をする携帯端末装置とを含み、これらを組み合わせて宅配管理システムとして提供されている。
【０００３】
この宅配管理システムでは、宅配業者がインターホンの呼出ボタンを押すと、親機との間で各種信号のやりとりが可能となり、またこの親機を介して携帯端末装置との間で各種信号のやりとりが可能となる。
【０００４】
例えば、居住者が外出しているときに宅配業者がインターホンの呼出ボタンを押すと、このインターホンと携帯端末装置とが親機を介して通信可能な状態となり、携帯端末装置とインターホンとの間で会話情報信号のやりとりが行われる。そして、外出先から宅配物の受取りを承認した場合、インターホンのカメラ手段の画像を見ながら携帯端末装置の入力操作手段（その画面に表示される入力操作ボタン）を操作して電子錠の開錠及び閉錠を行うようになる。
【０００５】
即ち、外出している居住者は、カメラ手段で宅配物の配送先を確認し、この宅配物を受取る場合、携帯端末装置の入力操作手段を操作して宅配ボックスの電子錠を開錠する。かく開錠すると、宅配業者は、開閉扉を開放してこの宅配ボックスの中に宅配物を収容し、その後この開閉扉を閉じ、このようにして宅配物が宅配ボックスにより受け取られる。その後、居住者は、宅配業者のこの一連の収容動作をインターホンのカメラ手段により確認した後に、携帯端末装置の入力操作手段を操作して宅配ボックスの電子錠を閉錠し、このようにして宅配物の受取りが完了する。
【先行技術文献】
【特許文献】
【０００６】
【特許文献１】特開２０１７ー８６５４０号公報
【発明の概要】
【発明が解決しようとする課題】
【０００７】
一般的に、宅配物の受取りをするときには、その受取り時に受領印を押印し（又は受領サインを記載する）、この受領印（又は受領サイン）と引き替えに宅配業者から宅配物を受け取るようになっている。
【０００８】
しかし、この管理システムでは、宅配ボックスに宅配物を入れて配送終了とすることができるが、宅配業者は、その配達伝票に受領印（又は受領サイン）をもらうことができず、宅配物を確実に配達したことを証明する証（受領印又は受領サイン）を得ることができないという問題がある。
【０００９】
また、例えば、宅配物を管理する管理システムでは、上述したような問題があるが、例えば魚（例えば、熱帯魚など）に魚用餌を供給管理する管理システムでは、外出時に外出先から簡単に魚用餌を施すことができる管理システムの実現が望まれ、更に動植物に与える水を供給管理する管理システムなどにおいては、外出時に外出先から簡単に水を施すことができる管理システムの実現が望まれている。
【００１０】
本発明の目的は、宅配物を受け取ったことの証明を行うことができる管理システムを提供することである。
【００１１】
また、本発明の他の目的は、魚用餌、ペット用餌、水などの供給物を外出先から簡単に施すことができる管理システムを提供することである。
【課題を解決するための手段】
【００１２】
本発明は、上述した目的に対応して、宅配物の受け取りを管理するための受取管理装置と、前記受取管理装置との間で信号のやりとりするための携帯端末装置とを備えた管理システムであって、
前記受取管理装置は、配達業者を撮影するためのカメラ手段と、配達伝票に受領印を押印するための押印手段と、前記携帯端末装置との間で信号のやりとりするための受取側通信手段とを含み、
前記携帯端末装置は、前記受取管理装置を操作するための入力操作手段と、前記受取管理装置との間で信号のやりとりをするための端末側通信手段とを含み、
前記携帯端末装置の前記入力操作手段を押印操作入力すると、前記携帯端末装置にて生成された押印操作信号が前記端末側通信手段及び前記受取側通信手段を介して前記受取管理装置に伝送され、前記押印操作信号に基づいて前記押印手段が作動される管理システムが提供される。
【００１３】
このような管理システムでは、前記受取管理装置は、前記カメラ手段を収容するための管理装置ハウジングを備え、前記管理装置ハウジングには、前記押印手段により押印を施す押印域に前記配達伝票を挿入するための挿入開口が設けられていることが好ましく、また前記管理装置ハウジングには、前記押印域を外部から目視するための透明窓が設けられていることが好ましく、更に、前記押印手段は、前記配達伝票に押印を施す印鑑と、前記印鑑を保持するための印鑑保持部材と、前記印鑑保持部材を所定方向にガイドするためのガイド体と、前記印鑑保持部材を押印移動させるための押印駆動手段とを含んでいるのが好ましい。
【００１４】
また、本発明は、上述した他の目的に対応して、供給物を供給管理するための供給管理装置と、前記供給管理装置を制御するための携帯端末装置とを備えた管理システムであって、
前記供給管理装置は、前記供給物の供給状態を撮影するためのカメラ手段と、前記供給物を供給するための供給器と、前記携帯端末装置からの操作信号を受信するための受取側通信手段とを含み、
前記携帯端末装置は、前記供給管理装置を操作するための入力操作手段と、前記供給管理装置に前記操作信号を送信するための端末側通信手段とを含み、
前記携帯端末装置の前記入力操作手段を供給操作入力すると、前記携帯端末装置にて生成された供給操作信号が前記端末側通信手段及び前記受取側通信手段を介して前記供給管理装置に伝送され、前記供給操作信号に基づいて前記供給器が作動される管理システムが提供される。
【００１５】
このような管理システムでは、前記供給物は、動物に与えるペット用餌、魚に与える魚用餌又は動植物に与える水であり、前記供給器は、動物に前記ペット用餌を施すペット餌やり器、魚に前記魚用餌を施す魚餌やり器、又は動植物に水を施す水やり器であり、このようなペット用餌、魚用餌又は水を管理する管理システムに好都合に適用することができる。
【発明の効果】
【００１６】
本発明の管理システムによれば、受取管理装置は、配達業者を撮影するためのカメラ手段と、配達伝票に受領印を押印するための押印手段と、携帯端末装置との間で信号のやりとりするための受取側通信手段とを含み、また携帯端末装置は、受取管理装置を操作するための入力操作手段と、受取管理装置との間で信号のやりとりをするための端末側通信手段とを含んでいるので、例えば外出先から携帯端末装置側の入力操作手段を押印操作入力すると、携帯端末装置側からの押印操作信号が受取管理装置に伝送され、この押印操作信号に基づいて押印手段が作動され、かくして、外出先からであっても配達伝票に押印を所要の通りに施すことができる。
【００１７】
このような管理システムにおいては、管理装置ハウジングに挿入開口を設けることにより、この挿入開口を通して配達伝票を押印域に挿入することができ、かくして、押印手段により配達伝票に押印を施すことができ、また管理装置ハウジングに透明窓を設けることにより、押印域を外部から目視することができ、かくして、配達伝票の所定の押印箇所を簡単に押印域に位置付けて押印を施すことができ、更に押印手段を印鑑を保持するための印鑑保持部材と、この印鑑保持部材をガイドするためのガイド体と、印鑑保持部材を押印移動させるための押印駆動手段とを含んでいるので、印鑑保持部材を所要の通りに移動させて配達伝票に確実に且つきれいに押印を施すことができる。
【００１８】
また、本発明の管理システムによれば、供給管理装置は、供給物の供給状態を撮影するためのカメラ手段と、供給物を供給するための供給器と、携帯端末装置からの操作信号を受信するための受取側通信手段とを含み、携帯端末装置は、この供給管理装置を操作するための入力操作手段と、供給管理装置に操作信号を送信するための端末側通信手段とを含んでいるので、例えば外出先から携帯端末装置の入力操作手段を供給操作入力すると、携帯端末装置からの供給操作信号が供給管理装置に伝送され、この供給操作信号に基づいて供給器が作動され、かくして、外出先からであっても供給器から供給物を所要の通りに供給することができる。
【００１９】
このような管理システムは、ペット用餌、魚用餌又は水を管理する管理システムに好都合に適用することができる。
【図面の簡単な説明】
【００２０】
【図１】本発明に従う管理システムの第１の実施形態を示す概略図。
【図２】図１の管理システムにおける押印手段及びこれに関連する構成を示す部分断面図。
【図３】図２の押印手段による押印状態を示す部分断面図。
【図４】図１の管理システムの制御系を簡略的に示すブロック図。
【図５】図１の管理システムを用いた宅配物の受取りの流れを示すフローチャート。
【図６】本発明に従う管理システムの第２の実施形態を示す概略図。
【図７】図６の管理システムにおける魚餌やり器の一部を断面で示す簡略断面図。
【図８】図６の管理システムにおける餌やり管理装置の制御系を簡略的に示すブロック図。
【図９】図６の管理システムを用いた魚への餌やりの流れを示すフローチャート。
【図１０】本発明に従う管理システムの第３の実施形態を示す概略図。
【発明を実施するための形態】
【００２１】
以下、添付図面を参照して、本発明に従う管理システムの各種実施形態について説明する。まず、図１〜図５を参照して、第１の実施形態の管理システムについて説明する。この第１実施形態では、宅配物の受取りを管理する管理システムに適用している。
【００２２】
図１〜図４において、図示の管理システムは、宅配物を受け取り管理するための受取管理装置２と、この受取管理装置２との間で各種信号のやりとりを行うための携帯端末装置４とを備えている。図示の受取管理装置２は、矩形箱状の管理装置ハウジング６を備え、この管理装置ハウジング６内に、宅配物の配達業者などを撮影するためのカメラ手段８と、配達伝票Ｄ（図３参照）に受領印を押印するための押印手段１０と、宅配業者の音声などを伝えるためのマイク１２（音声入力手段として機能する）と、宅配業者などに音声を伝えるためのスピーカ１４（音声出力手段として機能する）となどが内蔵されている。また、管理装置ハウジング６の前面には、呼出ボタン１６が設けられ、受取管理装置２を介して居住者と連絡を取るときにこの呼出ボタン１６が押圧される。
【００２３】
この管理装置ハウジング６の前面には、更に、配達伝票Ｄの一部を管理装置ハウジング６内に挿入するための挿入開口１８が設けられ、またこの挿入開口１８に関連して、内部を目視するための透明窓２０が設けられている。更に、この挿入開口１８の内側に沿って、案内支持部材２２が設けられ、この案内支持部材２２は、挿入開口１８の下端に沿って挿入方向に延びている。
【００２４】
また、この押印手段１０により押印するための押印域２４が設けられ、この押印域２４は、管理装置ハウジング６内の案内支持部材２２における所定部位上面に設けられ、この押印域２４において、押印手段１０により後述するようにして配達伝票Ｄに押印が施される。
【００２５】
次に、押印手段１０について説明すると、この押印手段１０は、押印を施す印鑑２６と、この印鑑２６を保持するための印鑑保持部材２８とを備え、この印鑑保持部材２８が上下方向にスライド移動するようにガイド体３０により案内されている。この形態では、印鑑保持部材２８は、例えば断面矩形状に形成され、この断面形状に対応して、ガイド体３０は、相互に対向して配設された一対のガイド部材３２，３４を備え、かかるガイド部材３２，３４が印鑑保持部材２８の対向する外面に接して上下方向に案内する。
【００２６】
この印鑑手段１０は、更に、印鑑保持部材２８を押印域２４に向けて押印移動させるための押印駆動手段３６を含んでいる。図示の押印駆動手段３６は、駆動源としての電磁ソレノイド３８と、この電磁ソレノイド３８の出力部４０の動きを印鑑保持部材２８に伝達するための駆動伝達機構４２とを備え、駆動伝達機構４２は、駆動伝達レバー４４から構成されている。
【００２７】
この駆動伝達レバー４４は、支持軸４６に旋回自在に装着され、この駆動伝達レバー４４の一端部に長孔４８が設けられ、この長孔４８内に電磁ソレノイド３８の出力部４０に設けられた連結ピン５０が移動自在に受け入れられている。また、駆動伝達レバー４４の他端部に長孔５２が設けられ、この長孔５２内に印鑑保持部材２８に装着された連結ピン５４が移動自在に受け入れられている。更に、電磁ソレノイド３８のソレノイド本体部５６と駆動伝達レバー４４の一端部との間にその出力部４０を被嵌してコイルばね５８が装着されている。このコイルばね５８は、駆動伝達レバー４４を図２及び図３において時計方向に弾性的に偏倚し、この駆動伝達レバー４４の第１角度位置（図２に示す角度位置）を超える旋回移動を阻止するために当接片６０が設けられている。
【００２８】
このように構成されているので、通常（電磁ソレノイド３８が除勢されているとき）、図２に示すように、駆動伝達レバー４４は、コイルばね５８の作用によって当接片６０に当接する第１角度位置に保持される。かかる第１角度位置においては、駆動伝達レバー４４及び連結ピン５４によって、印鑑保持部材２８（即ち、これに保持された印鑑２６）は、押印域２４の上方に位置し、印鑑２６の一部が管理装置ハウジング６の挿入開口１８に突出することはなく、配達伝票Ｄを挿入開口１８を通して案内支持部材２２の上面に沿って押印域２４まで挿入することができる。
【００２９】
また、電磁ソレノイド３８が付勢されると、図３に示すように、その出力部４０が矢印で示す方向に磁気的に吸引される。かくすると、この出力部４０の移動が連結ピン５０を介して駆動伝達レバー４４に伝達され、この駆動伝達レバー４４が反時計方向に第２角度位置まで旋回され、この旋回動が連結ピン５４を介して印鑑保持部材２８に伝達される。
【００３０】
この第２角度位置においては、印鑑保持部材２８は（即ち、これに保持された印鑑２６）が押印域２４に向けて下方に移動され、かくして、挿入開口１８を通して挿入された配達伝票Ｄに印鑑２６が作用し、この配達伝票Ｄに押印が施される。
【００３１】
受取管理装置２は、更に、カメラ手段８、スピーカ１４、マイク手段１２及び電磁ソレノイド３８などを制御するためのコントローラ６２を備えているとともに、カメラ手段８にて撮影した画像情報などを記録するためのメモリ手段６４を含み、これらに加えて携帯端末装置４との間で各種信号のやりとりを行うための通信手段６６をも含んでいる。
【００３２】
次に、携帯端末装置４について説明すると、図示の携帯端末装置４は、画像情報を表示する画像表示手段７２と、操作者（この場合、受取居住者）の音声などを伝えるためのマイク７４（音声入力手段として機能する）と、操作者に音声などを伝えるためのスピーカ７６（音声出力手段として機能する）と、これら画像表示手段７２、マイク７４及びスピーカ７６などを制御するためのコントローラ７８とを備え、更に画像情報、各種アプリケションソフト（例えば、宅配物受領管理ソフトなど）を記憶するためのメモリ手段８０、この携帯端末装置４を起動させるための起動スイッチ８２及び上述した受取管理装置２との間で各種信号のやりとりを行うための通信手段８４を含んでいる。画像表示手段７２は、例えば液晶表示装置などから構成され、この液晶表示装置の画面に表示された各種操作ボタンが入力操作手段を構成する。
【００３３】
このような携帯端末装置４は、スマートフォン、タブレットＰＣなどから構成され、携帯端末装置４側の通信手段８２と受領管理装置２との間の各種信号のやりとりは、例えば、電話通信回線網、インターネット通信回線網などを介して行われる。
【００３４】
この管理システムを用いた宅配物の受取りの管理は、例えば，図５に示すフローチャートに従って行われる。主として図１及び図４とともに図５を参照して、宅配業者が宅配物を届けに居住受取者の玄関に到着すると、受取管理装置２の呼出ボタン１６を押圧操作する。かくすると、ステップＳ１からステップＳ２に進み、受取管理装置２側のコントローラ６２は起動信号を生成し、この起動信号に基づいてスピーカ１４及びマイク１２が作動され、更にカメラ手段８が作動される（ステップＳ３）。更に、受取管理装置２側の起動信号が受取管理装置２側の通信手段６６及び携帯端末装置４側の通信手段８４を介して携帯端末装置４側に伝達される（ステップＳ４）。
【００３５】
このように起動信号が伝達されると、携帯端末装置４においてメモリ手段８０に登録された宅配物受領管理ソフトが起動され（ステップＳ５）、この宅配物管理ソフトを利用して宅配業者との間で宅配物に関するやりとりが行われる（ステップＳ６）。このやりとりにおいては、受取管理装置２側のカメラ手段８により得た宅配業者などの画像情報は、画像情報信号として携帯端末装置４に送られ、その画像表示手段７２に表示される。また受取管理装置２側のマイク１２により得た宅配業者などの音声情報は、音声情報信号として携帯端末装置４に送られ、そのスピーカ７６から出力される。また、携帯端末装置４側のマイク７４からの居住受取者の音声情報は、音声情報信号として受取管理装置２に送られ、そのスピーカ１４から出力される。このように携帯端末装置４及び受取管理装置２を用いて居住受取者と宅配業者との間で音声のやりとりを行うことができ、居住受取者側では、カメラ手段８からの画像情報を見ながらこのやりとりを行うことができる。
【００３６】
このようなやりとりの過程で宅配業者の顔写真を取得する場合には、ステップＳ７からステップＳ８に進み、携帯端末装置４の画像表示手段７２に各種操作ボタン（入力操作手段として機能する）を表示させ、表示された操作ボタンを所要の通りに操作して画像記録操作の入力を行う。かくすると、携帯端末装置４側において、画像表示手段７２に表示される画像情報がメモリ手段８０に記録され（ステップＳ９）、このようにして宅配物を配達した宅配業者の情報を記録することができる。尚、この宅配業者の情報は、携帯端末装置４のメモリ手段８０に加えて受取管理装置２のメモリ手段６４に登録するようにしてもよく、或いは携帯端末装置側４に代えて受取管理装置２側のメモリ手段６４のみに登録するようにしてもよい。
【００３７】
その後、宅配業者とのやりとりを行い（ステップＳ１０）、この宅配物の宛先、貴重品であるかなどの確認し、受け取ると判断した場合、居住受取者は、配達伝票Ｄを受取管理装置２の挿入開口１８を通して挿入することを指示し、宅配業者は、そのように配達伝票Ｄを挿入してその押印箇所を押印域２４に位置付け、この位置付けは透明窓２０を通して目視しながら挿入することにより容易に行うことができる。
【００３８】
配達伝票Ｄの挿入確認後にステップＳ１１からステップＳ１２に進み、居住受取者は、携帯端末装置４に表示された各種操作ボタン（入力操作手段）を所要の通りに操作して押印操作の入力を行う。かくすると、携帯端末装置４のコントローラ７８は押印操作信号を生成し、この押印操作信号が携帯端末装置４から受取管理装置２に伝送され、そのコントローラ６２は、この押印操作信号に基づいて電磁ソレノイド３８を付勢する（ステップ１３）。
【００３９】
このように電磁ソレノイド３８が作動されると、その出力部４０が矢印で示す方向に磁気的に吸引され、この出力部４０の移動によって、駆動伝達レバー４４が図２に示す後退状態から反時計方向に旋回されて図３に示す押印状態となる。かくすると、印鑑保持部材２８は（これに保持された印鑑２６）が押印域２４に向けて下方に移動され、この移動によって、印鑑２６が配達伝票Ｄの表面に押圧作用し、かくして、この配達伝票Ｄの押印箇所に押印が施される（ステップ１４）。
【００４０】
この押印動作により宅配物の受取りが終了してステップＳ１５からステップＳ１６に進む、或いは押印動作後に宅配業者との間でやりとりしてステップＳ１５からステップＳ１７を経てステップＳ１６に移ると、宅配物の受取りが終了し、宅配業者は、受取管理装置２の呼出ボタン１６を長押しを行う。かくすると、受取管理装置２側のコントローラ６２は受取終了信号を生成し、この受取終了信号に基づいてこの受取管理装置２側のスピーカ１４及びマイク１２が作動停止し（ステップＳ１８）、更にそのカメラ手段８が作動停止し（ステップＳ１９）、このようにして受取管理装置２側の動作が終了する。また、この受取終了信号は、携帯端末装置２側に送信され、この受領終了信号に基づいて宅配受領管理ソフトの起動が終了し（ステップＳ２０）、このように居住受取者と宅配業者との間のやりとりを行って宅配物の受取りが終了する。
【００４１】
尚、この受取動作では、受取管理装置２側の呼出ボタン１６を長押しして受取終了信号を生成させているが、携帯端末装置２側の操作ボタン（入力操作手段）を操作して受取動作を終了させるようにしてもよく、この場合、携帯端末装置２側のコントローラ７８が受取終了信号を生成し、この受取終了信号が受取管理装置２側に送られるようになる。
【００４２】
この管理システムでは、宅配業者は宅配物を玄関口などに置いて配達終了となり、宅配物が安価なものである場合には適用することができるが、宅配物が高価なものである場合には適用することが難しくなる。そのため、この管理システムに宅配ボックスを含めるようにすることができる。この場合、家屋の例えば玄関に宅配ボックスを設置し、この宅配ボックスを利用して宅配物を収容するようにすることもできる。また、この宅配ボックスのセキュリティを高めるために、宅配ボックスの開閉扉に電子錠を設け、この電子錠の開閉動作を携帯端末装置４により行うようにすることもできる。
【００４３】
この管理システムは、宅配物の受取りを主目的としているが、その受取管理装置２を玄関先に設置されるインターホンとしても利用することもできる。この場合、家屋の適宜の場所（例えば、キッチンなど）にインターホンの親機（図示せず）が取り付けられ、この親機を用いて受取管理装置２との間で各種信号のやりとりが行われるように構成され、更に、この親機を介して受取管理装置２と携帯端末装置４との間で各種信号のやりとりが行われるように構成される。
【００４４】
次に、図６〜図９を参照して、第２の実施形態の管理システムについて説明する。この第２実施形態では、魚の餌やりの供給を管理する管理システムに適用しており、後述の記載から理解される如く、供給物としての魚用餌が供給器としての魚餌やり器により例えば水槽内の魚（例えば、熱帯魚、金魚、メダカなど）に供給される。
【００４５】
図６〜図８において、図示の管理システムは、魚の餌やりの供給を管理するための供給管理装置としての餌やり管理装置１０２と、この餌やり管理装置１０２との間で各種信号のやりとりを行うための携帯端末装置１０４とを備えている。図示の餌やり管理装置１０２は、餌やりの状態などを監視するためのカメラ手段１０６と、餌を供給するための供給器としての魚餌やり器１０８と、この魚餌やり器１０８が取り付けられる管理装置ハウジング１１０とを備えている。この形態では、水槽１１２の上面開口に、この上面開口の一部を覆うように載置支持部材１１４が載置され、かく載置された載置支持部材１１４に管理装置ハウジング１１０が取り付けられている。
【００４６】
この餌やり管理装置１０２は、更に、カメラ手段１０６及び魚餌やり器１０８などを制御するためのコントローラ１１６及び携帯端末装置１０４との間で各種信号をやりとりするための通信手段１１８を備え、これらコントローラ１１６及び通信手段１１８が管理装置ハウジング１１０内に内蔵されている。
【００４７】
次に、魚餌やり器１０８について説明すると、この魚餌やり器１０８は、底部に向けて先細になっている逆円錐状の収容ホッパ１２０を備え、この収容ホッパ１２０に餌１２２が収容される。この収容ホッパ１２０の供給開口には供給ローラ１２４が配設され、この供給ローラ１２４の回転軸１２６が管理装置ハウジング１１０の一部に回転自在に支持され、この回転軸１２６に駆動源としても電動モータ１２８が駆動連結されている。
【００４８】
この形態では、供給ローラ１２４の外周面の一部に凹部１３０が設けられ、収容ホッパ１２０内の魚（例えば、熱帯魚、金魚、メダカなど）用の餌１２２は、この凹部１３０に収容される。従って、電動モータ１２８によって供給ローラ１２４が矢印で示す方向に回転され、その凹部１３０が下側まで回動されると、この凹部１３０に収容された魚用餌１２２が下方に水槽１１２内に落下し、かくして、供給ローラ１２４回転により魚用餌１２２を供給することができ、その回転数により、水槽１１２（即ち、水槽１１２内の魚）に供給される餌１２２の供給量を調整することができる。
【００４９】
この餌やり管理装置１０２においては、カメラ手段１０６と通信手段１１８とが通信ケーブル１３２を介して接続され、このカメラ手段１０６にて得た画像情報は、画像情報信号に変換されて管理装置ハウジング１１０に内蔵された通信手段１１８から携帯端末装置１０４に伝送される。尚、このような通信手段１１８は、管理装置ハウジング１１０に代えてカメラ手段１０６に設けるようにしてもよく、管理装置ハウジング１１８及びカメラ手段１０６の双方に設けるようにしてもよい。
【００５０】
次に、携帯端末装置１０４について説明すると、この携帯端末装置１０４は、第１の実施形態におけるものと実質上同一の構成を有し、画像情報を表示する画像表示手段１３４と、操作者の音声などを伝えるためのマイク１３６と、操作者に音声などを伝えるためのスピーカ１３８と、これら画像表示手段１３４、マイク１３６及びスピーカ１３８などを制御するためのコントローラ１４０とを備え、更に画像情報、各種アプリケションソフト（例えば、餌やり管理ソフトなど）を記憶するためのメモリ手段１４２、この携帯端末装置１０４を起動させるための起動スイッチ１４４及び上述した餌やり管理装置１０２との間で各種信号のやりとりを行うための通信手段１４６を含んでいる。
【００５１】
この管理システムを用いた魚用餌の供給の管理は、例えば，図９に示すフローチャートに従って行われる。主として図６及び図８とともに図９を参照して、魚の餌やりを行うには、携帯端末装置１０４のメモリ手段１４２に登録されている餌やりソフトを起動する（ステップＳ３１）。かくすると、携帯端末装置１０４のコントローラ１４０は起動信号を生成し、この起動信号が携帯端末装置１０４の通信手段１４６から餌やり管理装置１０２の通信手段１１８に伝送され、この起動信号に基づいてカメラ手段１０６が作動される（ステップＳ３２）。このようにしてカメラ手段１０６が作動されると、カメラ手段１０６により得た水槽１１２及び餌やり器１０８の画像情報は、画像情報信号として携帯端末装置１０４に送られてその画像表示手段１３４に表示され、操作者は、この画像表示手段１３４の画像情報を見ることにより、水槽１１２及び魚餌やり器１０８の状況を知ることができる。
【００５２】
そして、水槽１１２内の魚１４８に餌をやる場合、ステップＳ３３からステップＳ３４に進み、携帯端末装置４の画像表示手段１３４に各種操作ボタン（入力操作手段として機能する）を表示させ、表示された操作ボタンを所要の通りに操作して餌やり操作の入力を行う。かくすると、携帯端末装置１０４のコントローラ１４０が餌供給信号を生成し、この餌供給信号が餌やり管理装置１０２に送られ、かかる餌供給信号に基づいてコントローラ１１６が電動モータ１２８を付勢する（ステップＳ３５）。このようにして電動モータ１２８が回転すると、供給ローラ１２４が矢印で示す方向に回転され、その凹部１３０が下側に回転移動したときに、この凹部１３０に収容されていた魚用餌１２２が水槽１１２内に落下し、このようにして水槽１１２内の魚１４８に餌１２２を与えることができる。
【００５３】
餌やりを終了するときには、ステップＳ３６からステップＳ３６に進み、携帯端末装置４側の画像表示手段１３４に表示された各種操作ボタンを操作して餌やり終了操作の入力を行う（ステップＳ３７）。例えば、操作ボタンにける供給ボタンの押圧状態を解除して餌やりを終了させるようにしてもよく、或いは供給終了ボタンを設け、この供給終了ボタンを押圧操作するようにしてもよい。
【００５４】
餌やり終了操作を行うと、携帯端末装置１０４のコントローラ１４０は餌やり終了信号を生成し、この餌やり終了信号が携帯端末装置１０４から餌やり管理装置１０２側に送給され、この餌やり終了信号に基づいて電動モータ１２８が作動停止し（ステップＳ３８）、このようにして水槽１１２内の魚１４８への餌やりが終了する。尚、水槽１１２内の魚１４８の状態を見るときには、餌やりソフトを起動させて餌やり管理装置１０２側のカメラ手段１０６からの画像情報を携帯端末装置１０４側の画像表示手段１３４に表示するようにすればよく、この場合、ステップＳ３２からステップＳ３３を経てステップＳ３９に移る。
【００５５】
このようにしてステップＳ３９に進むと、携帯端末装置１０４側の餌やりソフトの起動を終了させる。このように終了させると、そのコントローラ１４０が起動終了信号を生成し、この起動終了信号が餌やり管理装置１０２側に送られ、この起動終了信号に基づいてカメラ手段１０６が作動停止し（ステップＳ４０）、このようにして餌やりの一連の動作が終了する。
【００５６】
このような餌やりの管理システムは、ペット（例えば、犬、猫など）の餌やりにも同様に適用することができる。この場合、ペット用餌を入れる餌容器（例えば、餌皿など）が用いられ、この餌容器に関連して、供給器としてのペット餌やり器が用いられ、このペット餌やり器から供給物としてのペット用餌が供給される。
【００５７】
このような管理システムは、動植物に水を与える水やりにも同様に適用することができる。この場合、供給物が水であり、供給器として水やり器が用いられ、この水やり器から供給物としての水が供給される。
【００５８】
このような管理システムとしては、例えば、図１０に示すような水やり管理のシステムとして提供することができる。図１０において、第３の実施形態の管理システムは、供給管理装置としての水供給管理装置１５２と、この水供給管理装置１５２との間で各種信号のやりとりを行うための携帯端末装置１０４Ａとを備えている。図示の水供給管理装置１５２は、水の供給状態などを監視するためのカメラ手段１５６と、水を供給するための供給器としての水やり器１５８と、この水やり器１５８が取り付けられる管理装置ハウジング１６０とを備えている。この形態では、例えば植物１６２（又は動物）に与える水１６４が収容される水タンク１６４が設けられる。水タンク１６４は、水１６４を収容するタンク本体１６６と、このタンク本体１６６の上面開口を覆う蓋体１６８をと有し、この蓋体１６８の上面に水やり器１５８（即ち、管理装置ハウジング１６０）が設置されている。
【００５９】
この水管理装置１５２は、更に、カメラ手段１５６及び水やり器１５８などを制御するためのコントローラ１７０及び携帯端末装置１０４Ａとの間で各種信号をやりとりするための通信手段１７２を備え、これらコントローラ１７０及び通信手段１７２が管理装置ハウジング１６０内に内蔵されている。
【００６０】
次に、水やり器１５８について説明すると、この水やり器１５８は、水を供給するための水供給ポンプ１７４を備え、この水供給ポンプ１７４の吸入側には吸入チューブ１７６が接続され、この吸入チューブ１７６の先端側が蓋体１６８を貫通してタンク本体１６６の底部まで延びて水１７６に浸漬されている。また、水供給ポンプ１７４の排出側には排出チューブ１７８が接続され、この排出チューブ１７８が、植物１６２が植わった植木鉢１８０内まで延びている。
【００６１】
このように構成されているので、水供給ポンプ１７４が作動されると、この水供給ポンプ１７４の作用によって水タンク１６４内の水１６４が吸引され、かく吸引された水１６４が吸入チューブ１７６及び排出チューブ１７８を通して植木鉢１８０内に送給され、このようにして植木鉢１８０に植えられた植物１６２に水が供給される。
【００６２】
この管理システムにおける携帯端末装置１０４Ａは、第２の実施形態の管理システムにおける携帯端末装置１０４と実質上同一の構成であり、そのメモリ手段１４２には、餌やりソフトに代えて水やりソフトが登録され、この水やりソフトを起動させて水供給ポンプ１７４を作動させて水を与えるようになる。この管理システムにおいては、上述したと同様にして植物に供給物としての水を与えることができる。
【００６３】
このような水供給の管理システムは、動物（犬、猫、鶏など）に供給する水を管理するためのものにも同様に適用することができる。この場合、水が収容された水タンクを、動物が水を飲むための水受け容器（この水受け容器内に水が供給される）よりも高い位置に保持し、高低差を利用して水タンク内の水を供給チューブを通して水受け容器に供給するようにしてもよく、このように構成したときには、この供給チューブに電磁開閉弁などを配設し、この電磁開閉弁の開閉動作により水の供給、供給停止を行うことができる。このような高低差を利用することなく、上述したように水供給ポンプを利用するようにしてもよい。
【００６４】
以上、本発明に従う管理システムの各種実施形態について説明したが、本発明はかかる実施形態に限定されるものではなく、本発明の範囲を逸脱することなく種々の変更乃至修正が可能である。
【符号の説明】
【００６５】
２  受取管理装置
４，１０４，１０４Ａ  携帯端末装置
６，１１０，１６０  管理装置ハウジング
８，１０６，１５６  カメラ手段
１０  押印手段
１２，７４，１３６  マイク
１４，７６，１３８  スピーカ
１８  挿入開口
２０  透明窓
２４  押印域
２６  印鑑
６２，７８，１１６，１４０，１７０  コントローラ
６６，８４，１１８，１４６，１７２  通信手段
１０２  餌やり管理装置
１０８  餌やり器
１２４  供給ローラ
１５２  水供給管理装置
１５８  水やり器
１７４  水供給ポンプ
Ｄ  配達伝票
【図１】
2019038686.tif 000003
【図２】
2019038686.tif 000004
【図３】
2019038686.tif 000005
【図４】
2019038686.tif 000006
【図５】
2019038686.tif 000007
【図６】
2019038686.tif 000008
【図７】
2019038686.tif 000009
【図８】
2019038686.tif 000010
【図９】
2019038686.tif 000011
【図１０】
2019038686.tif 000012